(57)【要約】第１光電気変換手段（１０ａ）がクライアント側からの光入力信号（３１）を第１電気信号（３２）に変換し、ディジタルパターン発生手段（１４）が波長情報を表現する擬似乱数パターン信号（３３）を発生させ、電気信号重畳手段（１６）が第１電気信号（３２）にパターン信号（３３）を重畳させて重畳電気信号（３４）とし、第１電気光変換手段（１１ｂ）は、信号（３４）を所定の光出力信号（３５）に変換する。一方、光フィルタ手段（１２）は、入力した波長多重光（４１）から特定波長の光信号（４２）を選択し、第２光電気変換手段（１０ｂ）は、タ手段（１２）が選択した光入力信号（４２）を第２電気信号（４３）に変換し、ディジタルパターン検出手段（１５）が第２電気信号（４３）に重畳されたパターン信号（４４）を検出し、第２電気光変換手段（１１ａ）が第２電気信号（４３）を光出力信号（４５）に変換する。【特許請求の範囲】
【請求項１】
クライアント側からの光入力信号を入力し、波長多重区間側で使用する波長の光出力信号に変換して送出するとともに、波長多重区間側から入力する波長多重光のうち特定波長の光信号を選択し、これをクライアント側に光出力信号として送出する波長可変光送受信装置において、
クライアント側からの光入力信号を第１電気信号に変換する第１光電気変換手段と、
波長情報を表現する擬似乱数パターン信号を発生するディジタルパターン発生手段と、
前記第１電気信号に前記擬似乱数パターン信号を重畳させて重畳電気信号とする電気信号重畳手段と、
前記重畳電気信号を所定の光出力信号に変換する第１電気光変換手段と、
波長多重区間側から入力する波長多重光のうち特定波長の光信号を選択する光フィルタ手段と、
前記光フィルタ手段によって選択された光入力信号を第２電気信号に変換する第２光電気変換手段と、
前記第２電気信号に重畳された擬似乱数パターン信号を検出するディジタルパターン検出手段と、
前記第２電気信号を光出力信号に変換する第２電気光変換手段とを備えた
ことを特徴とする波長可変光送受信装置。
【請求項２】
クライアント側からの光入力信号を入力し、波長多重区間側で使用する波長の光出力信号に変換して送出するとともに、波長多重区間側から入力する波長多重光のうち特定波長の光信号を選択し、これをクライアント側に光出力信号として送出する波長可変光送受信装置において、
クライアント側からの光入力信号を第１電気信号に変換する第１光電気変換手段と、
波長情報を表現する擬似乱数パターン信号を発生するディジタルパターン発生手段と、
前記第１電気信号に前記擬似乱数パターン信号を重畳させて重畳電気信号とする電気信号重畳手段と、
前記重畳電気信号を所定の光出力信号に変換する第１電気光変換手段と、
波長多重区間側から入力する波長多重光のうち特定波長の光信号を選択する光フィルタ手段と、
前記光フィルタ手段によって選択された光入力信号を第２電気信号に変換する第２光電気変換手段と、
前記光フィルタ手段によって選択された光入力信号に重畳された擬似乱数パターン信号の占める帯域を第３電気信号に変換する第３光電気変換手段と、
前記第３電気信号に重畳された擬似乱数パターン信号を検出するディジタルパターン検出手段と、
前記第２電気信号を光出力信号に変換する第２電気光変換手段とを備えた
ことを特徴とする波長可変光送受信装置。
【請求項３】
前記ディジタルパターン発生手段側にスクランブル機能を有し、前記ディジタルパターン信号検出手段側にデスクランブル機能を有することを特徴とする請求項１または２に記載の波長可変光送受信装置。
【請求項４】
前記擬似乱数パターン信号のスタートビットの系列及び特定時間位置でのビット列のいずれかに前記波長情報が表現されていることを特徴とする請求項１または２に記載の波長可変光送受信装置。
【請求項５】
前記擬似乱数パターン信号の前方及び後方の少なくともいずれか一方にパターン区切り識別用ビット系列が付加されていることを特徴とする請求項１または２に記載の波長可変光送受信装置。
【請求項６】
前記ディジタルパターン発生手段が発生する前記擬似乱数パターン信号の伝送信号速度が、波長多重区間側の主信号伝送速度の占有帯域外となる低速の信号速度であることを特徴とする請求項１または２に記載の波長可変光送受信装置。
【請求項７】
前記ディジタルパターン信号検出手段は、擬似乱数パターンのマーク率が概略１／２から外れた場合及び前記パターン区切り識別用ビット系列が検出できなかった場合の少なくともいずれか一方の場合これをエラーとすることを特徴とする請求項１または２に記載の波長可変光送受信装置。
【請求項８】
前記光フィルタ手段の前段及び後段の少なくともいずれか一方に光パワーモニタ手段を有し、該光パワーモニタ手段のモニタ結果に基づいて、前記波長多重光の状態が判定されることを特徴とする請求項１または２に記載の波長可変光送受信装置。
【請求項９】
前記光フィルタ手段の前段及び後段に光パワーモニタ手段を有し、該２つの光パワーモニタ手段のモニタ結果と、前記ディジタルパターン検出手段の抽出する前記擬似乱数パターン信号と、該擬似乱数パターン信号のマーク率及び前記パターン区切り識別用ビット系列の異常検出結果の少なくともいずれか一方とに基づいて、前記波長多重光の状態が判定されることを特徴とする請求項１または２に記載の波長可変光送受信装置。
【請求項１０】
前記ディジタルパターン検出手段が、擬似乱数パターン信号の伝送信号速度に対応した通過域を有する低速信号用の電気フィルタ手段と低速信号用の識別手段を有していることを特徴とする請求項１または２に記載の波長可変光送受信装置。
【請求項１１】
前記光フィルタ手段は、特定の波長に対する波長帯域通過特性を有し、通過波長帯域の中心波長が可変であることを特徴とする請求項１または２に記載の波長可変光送受信装置。
【請求項１２】
前記光フィルタ手段は、特定の波長に対する波長帯域通過特性を有し、通過波長帯域の帯域幅が可変であることを特徴とする請求項１または２に記載の波長可変光送受信装置。
【発明の詳細な説明】
【技術分野】
【０００１】  本発明は、クライアント側からの光入力信号を入力し、この光入力信号を波長多重区間側で使用する波長の光出力信号に変換して送出するとともに、波長多重区間側から入力する波長多重光のうち特定波長の光信号を選択し、これをクライアント側に光出力信号として送出する波長可変光送受信装置に関し、特に入力する信号データを識別再生せず、また信号データの終端・解析処理を行わない構成の波長可変光送受信装置に関するものである。
【背景技術】
【０００２】  波長に応じて伝送路あるいは通信する対向局を切り替える（波長パス切替）光伝送システムに用いられる光送受信装置においては、送信波長を変更するための波長可変光源または波長可変送信器、或いは受信波長を切り替えるための波長可変光フィルタを有している。このような光送受信装置において、受信側に配置される波長可変光フィルタを所望の波長（チャネル）に正しく設定するには、通常、フィルタ通過後の光信号を観測しこれに基づいて設定する。そして、例えば、伝送信号のフレームのオーバーヘッドに埋め込まれた波長情報に基づいて、フィルタを通過した波長が所望の波長であるか否かを判断することが一般的に行われている（例えば、特許文献１参照）。【０００３】  また、複数伝送速度が混在し、且つ複数の信号種別（例えばＳＤＨ（Ｓｙｎｃｈｒｏｎｏｕｓ  Ｄｉｇｉｔａｌ  Ｈｉｅｒａｒｃｈｙ）系やＩＰ（Ｉｎｔｅｒｎｅｔ  Ｐｒｏｔｏｃｏｌ）系など）が混在するシステムに適用する光送受信装置においては、特定の伝送フレームを期待することが困難なため、光送受信装置に入力された信号の終端の検出及び解析は難しい。つまり、フレームから波長情報を得ることは困難である。このように、クライアント側と波長多重区間側の光電気変換及び電気光変換の際にフレームオーバーヘッド内の波長情報を取得できないような場合には、波長またはチャネル番号に対応した周波数にて各送信光信号を低周波変調し、受信端でその周波数成分を識別することで送信されてきたチャネル番号を判断することが可能である（例えば、特許文献２及び特許文献３参照）。【０００４】
【特許文献１】特開平９−５１３２５号公報
【特許文献２】特開平９−５１３２４号公報
【特許文献３】特開平１１−４１２０８号公報
【発明の開示】
【発明が解決しようとする課題】
【０００５】  複数の伝送速度及び伝送信号種別が混在するシステムに適用する波長可変光送受信装置であって、入力する信号データを識別再生せず、また信号データの終端・解析処理を行わないタイプのものにおいては、波長情報を波長多重区間側に伝送し、これに基づいて可変光フィルタを正確に制御するためには、送信光信号に波長に対応した低周波変調を印加することで対応できる。しかしながら、１００波長を越えるような将来の超高密度波長多重システムでは、各波長毎の固有周波数等の波長情報を定義することが難しいばかりでなく、異なる品種の低周波発振器を準備する必要があるため部品コストが上昇するという課題があると考えられる。加えて、上述のような構成の波長可変光送受信装置では、それ自身で信号品質を判断できず、外部からの光信号供給を前提とした動作を行うため、システム立ち上げ時等全ての装置が接続されていない状態にて波長可変光送受信装置の性能評価及び動作確認を行うことができないという課題がある。【０００６】  本発明は、上記に鑑みてなされたものであって、入力する信号データを識別再生せず、また信号データの終端・解析処理を行わない波長可変光送受信装置において、波長多重数が増大した場合でも容易に且つ安価に波長情報を光信号に重畳させることができる波長可変光送受信装置を得る。
【課題を解決するための手段】
【０００７】  上述した課題を解決し、目的を達成するために、本発明の波長可変光送受信装置は、クライアント側からの光入力信号を入力し、波長多重区間側で使用する波長の光出力信号に変換して送出するとともに、波長多重区間側から入力する波長多重光のうち特定波長の光信号を選択し、これをクライアント側に光出力信号として送出する波長可変光送受信装置において、クライアント側からの光入力信号を第１電気信号に変換する第１光電気変換手段と、波長情報を表現する擬似乱数パターン信号を発生するディジタルパターン発生手段と、第１電気信号に擬似乱数パターン信号を重畳させて重畳電気信号とする電気信号重畳手段と、重畳電気信号を所定の光出力信号に変換する第１電気光変換手段と、波長多重区間側から入力する波長多重光のうち特定波長の光信号を選択する光フィルタ手段と、光フィルタ手段によって選択された光入力信号を第２電気信号に変換する第２光電気変換手段と、第２電気信号に重畳された擬似乱数パターン信号を検出するディジタルパターン検出手段と、第２電気信号を光出力信号に変換する第２電気光変換手段とを備えたことを特徴とする。
【発明の効果】
【０００８】  本発明にかかる波長可変光送受信装置においては、第１光電気変換手段がクライアント側からの光入力信号を第１電気信号に変換し、ディジタルパターン発生手段が波長情報を表現する擬似乱数パターン信号を発生させ、電気信号重畳手段が第１電気信号に擬似乱数パターン信号を重畳させて重畳電気信号とし、第１電気光変換手段は、重畳電気信号を所定の光出力信号に変換する。一方、光フィルタ手段は、波長多重区間側から入力する波長多重光のうち特定波長の光信号を選択し、第２光電気変換手段は、光フィルタ手段によって選択された光入力信号を第２電気信号に変換し、ディジタルパターン検出手段が第２電気信号に重畳された擬似乱数パターン信号を検出するとともに、第２電気光変換手段が第２電気信号を光出力信号に変換するので、波長多重数が増大した場合でも容易に且つ安価に波長情報を光信号に重畳させることができる。
【図面の簡単な説明】
【０００９】
【図１】実施の形態１の波長可変光送受信装置の構成図である。
【図２】擬似乱数パターン信号の帯域を光電気変換する第３光電気変換手段を設けた実施の形態１の変形例を示す構成図である。
【図３】ディジタルパターン発生手段側にスクランブル機能を設けディジタルパターン信号検出手段側にデスクランブル機能を設けた実施の形態１の変形例を示す構成図である。
【図４】実施の形態２の波長可変光送受信装置の構成図である。
【図５】実施の形態２にて切り分けることができる各種異常状態の条件と症状を表にして表した図である。
【符号の説明】
【００１０】  １０ａ  光電気変換器（第１光電気変換手段）
１０ｂ  光電気変換器（第２光電気変換手段）
１０ｃ  光電気変換器（第３光電気変換手段）
１１ａ  電気光変換器（第２電気光変換手段）
１１ｂ  電気光変換器（第１電気光変換手段）
１２  可変光フィルタ（光フィルタ手段）
１３  プロセッサ（制御手段）
１４  ディジタルパターン発生器（ディジタルパターン発生手段）
１５  ディジタルパターン検出器（ディジタルパターン検出手段）
１６  重畳器（電気信号重畳手段）
１７ａ  第１の光パワーモニタ手段
１７ｂ  第２の光パワーモニタ手段
２１  スクランブル手段
２２  デスクランブル手段
【発明を実施するための最良の形態】
【００１１】  以下に、本発明にかかる波長可変光送受信装置の実施の形態を図面に基づいて詳細に説明する。なお、この実施の形態によりこの発明が限定されるものではない。【００１２】実施の形態１．
図１は実施の形態１の波長可変光送受信装置の構成図である。波長可変光送受信装置１０１は、図示しないクライアント装置と波長多重側光通信網との間に設けられている。そして、波長可変光送受信装置１０１は、クライアント装置に接続するクライアント側光入力ポートＩＰ１及びクライアント側光出力ポートＯＰ２と、波長多重側光通信網に接続する波長多重区間側光出力ポートＯＰ１及び波長多重区間側光入力ポートＩＰ２とを有している。そして、波長可変光送受信装置１０１は、クライアント側からの光入力信号３１を入力し、波長多重区間側で使用する波長の光出力信号３５に変換して送出する。この動作を行う部分を送信部とする。また、波長可変光送受信装置１０１は、波長多重区間側から入力する波長多重光４１のうち特定波長の光信号４２を選択し、これをクライアント側に光出力信号４５として送出する。この動作を行う部分を受信部とする。【００１３】  図１中の一点鎖線は光信号の経路、点線は制御信号の経路、実線は制御信号以外の電気信号の経路を示す。波長可変光送受信装置１０１は、まず、可変フィルタ１２を制御するとともに装置全体の動作を制御する制御手段であるプロセッサ１３を有している。【００１４】  さらに、波長可変光送受信装置１０１は、送信部において、第１光電気変換手段である光電気変換器１０ａと、ディジタルパターン発生手段であるディジタルパターン発生器１４と、電気信号重畳手段である重畳器１６と、第１電気光変換手段である電気光変換器１１ｂとを有している。光電気変換器１０ａは、クライアント側光入力ポートＩＰ１に接続され、当該ポートから入力する光入力信号３１を第１電気信号（主信号）３２に変換する。ディジタルパターン発生器１４は、波長情報が表現された擬似乱数パターン信号（ディジタル乱数パターン信号）３３を発生する。重畳器１６は、第１電気信号（主信号）３２に擬似乱数パターン信号３３を重畳させて重畳電気信号３４とする。電気光変換器１１ｂは、この重畳電気信号３４を所定の波長の光出力信号３５に変換し、これを波長多重区間側光出力ポートＯＰ１から出力する。【００１５】  また、波長可変光送受信装置１０１は、受信部において、光フィルタ手段である可変フィルタ１２と、第２光電気変換手段である光電気変換器１０ｂと、ディジタルパターン検出手段であるディジタルパターン検出器１５と、第２電気光変換手段である電気光変換器１１ａとを有している。可変フィルタ１２は、波長多重区間側光入力ポートＩＰ２に接続され波長多重区間側から入力する波長多重光４１のうち特定波長の光入力信号４２を選択する。光電気変換器１０ｂは、可変フィルタ１２によって選択された光入力信号４２を第２電気信号４３に変換する。ディジタルパターン検出器１５は、第２電気信号４３に重畳された擬似乱数パターン信号４４を検出し波長情報を得る。電気光変換器１１ａは、第２電気信号４３を光出力信号４５に変換し、クライアント側光出力ポートＯＰ２から出力する。プロセッサ１３は、ディジタルパターン検出器１５が抽出した波長情報に基づいて可変フィルタ１２の選択する光入力信号４２を制御する。【００１６】  次に動作を説明する。波長可変光送受信装置１０１は、クライアント���からの光入力信号３１を入力し、波長多重区間側で使用する波長の光出力信号３５に変換して送出するとともに、波長多重区間側から入力する波長多重光４１のうち特定波長の光入力信号４２を選択し、これをクライアント側に光出力信号４５として送出する。ここで、本実施の形態においては、転送する主信号の伝送速度やプロトコルによらずに動作を行わせるため、電気信号の段階でデータまたは関連するフレームに関する各種処理及び解析は行わない。そして、光信号から電気信号への変換、及び電気信号から光信号への変換による波長変換のみの動作を行う。【００１７】  本実施の形態においては、波長多重区間側への光出力信号３５に相当する信号として、各波長に対応する低伝送速度の擬似乱数パターン信号３３をディジタルパターン発生器１４にて発生させ、これを第１電気信号（主信号）３２に重畳し、光電気変換器１１ｂによって波長多重区間側に送出する。一方、受信部においては、波長多重区間側から入力した波長多重光４１から擬似乱数パターン信号４４を抽出し、その抽出結果に基づいて、正しい波長に可変光フィルタ１２の中心波長を設定する。【００１８】  ここで、可変光フィルタ１２を制御する方法は、次の方式を行うことで所望の波長に設定可能である。まず、使用波長の全帯域をスキャンし、所望の波長情報が得られる波長設定でスキャンを中止する。次に、フィルタ出力パワー（または光電気変換器１０ｂの受光パワー）が最大になるようにフィルタ波長設定を微調する。その際、フィルタ出力パワーまたは受光パワーのモニタとしては、波長情報を抽出するディジタルパターン検出器１５に、波長情報に相当する擬似乱数パターン信号の信号速度に対応した低速信号のピーク検波出力モニタまたは、擬似乱数パターン信号特有の周波数成分の強度モニタを設けることで、より精度の高い可変光フィルタ１２の微調制御が可能である。【００１９】  波長情報として使用する擬似乱数パターン信号としては、ハードウェアで容易に実現可能な方法として、例えば下記生成多項式で表される擬似乱数系列（ＰＲＢＳ：Ｐｓｅｕｄｏ−Ｒａｎｄｏｍ  Ｂｉｔ  Ｓｅｑｕｅｎｃｅ）を用いることができる（下式の例は２７−１の周期性を有するＰＲＢＳ７の信号生成多項式である）。【００２０】            ｘ７＋ｘ１＋ｘ０【００２１】  上記のＰＲＢＳ７の系列を使用すると、７連続で０以外のパターンを発生することができるため、２７−１種類（１２７通り）のパターンを容易に生成可能である。このパターンに対して波長を割り当てることで、容易に多数の波長情報またはチャネル番号の生成及び割り当てを行うことが可能である。ここに、上記の例で示す周期性のあるパターンを複数パターンとして使用するには、パターンの始まりまたは終わりを示すパターン区切り識別用ビット系列を別途挿入することが必要である（上記の例では、原理的に使用しない７連続０のパターンを区切りとして使用可能である）。また、パターンの識別として、例えば上記の例では、パターンの先頭７ビットまたはパターン区切りから特定の遅延時間後の７ビットのみを識別してもよいし、全パターンのデータ並びの順序を識別しても良い。すなわち、擬似乱数パターン信号のスタートビットの系列及び���定時間位置でのビット列のいずれかに波長情報を含め、これを識別してもよい。【００２２】  このように、本実施の形態の擬似乱数パターン信号の前方及び後方の少なくともいずれか一方にパターン区切り識別用ビット系列が付加されているので、周期性のあるパターンを複数パターンとして使用することができる。また、擬似乱数パターン信号のスタートビットの系列及び特定時間位置でのビット列のいずれかによって波長情報を表現し、さらに、これを識別することでフィルタを通過した波長が所望の波長であるか否かを判断することができる。【００２３】  また、擬似乱数パターン信号の繰返し周期長（またはＰＲＢＳの段数）に対して波長情報を割り当て、パターン区切り用ビット系列を使用しないことで高速な波長情報抽出を可能とすることも可能である。【００２４】  尚、擬似乱数パターン信号としては、系列の生成が容易であり、且つ受信側のパターン抽出にて参照パターンが容易に生成可能な上記以外の系列を使用してもよいことは言うまでもない。【００２５】  ディジタルパターン検出器１５は、図１に示さないが第２電気信号（主信号）４３から波長情報に対応した擬似乱数パターン信号４４を抽出するための低速信号用の電気フィルタ（電気フィルタ手段）と、Ａ／Ｄ変換を行うための低速信号用の識別器（識別手段）と、パターン識別をするための演算処理部とを有している。電気フィルタは、擬似乱数パターン信号の伝送信号速度に対応した通過域を有している。演算処理部の行う演算処理は、例えば複数の参照データ系列と受信したパターン系列とを比較して擬似乱数パターン信号４４を抽出する（例えば、各ビット同士のＸＯＲ演算（排他的論理和演算）をとり、比較全ビットに対して″０″の結果が得られるものを擬似乱数パターン信号４４とする）。【００２６】  本実施の形態においては、ディジタルパターン検出器１５の入力として光電気変換器１０ｂの後段から分岐した信号を使用しているが、図２の構成としてもよい。すなわち、図２に示す波長可変光送受信装置１０２においては、第３の光電気変換手段としての光電気変換器１０ｃが、可変光フィルタ１２から分岐する光線路に接続されており、光電気変換器１０ｃは、可変光フィルタ１２によって選択された光入力信号４２に重畳された擬似乱数パターン信号が占める帯域（低速の帯域）成分を第３電気信号に変換する。そして、ディジタルパターン検出器１５は、この第３電気信号に重畳された擬似乱数パターン信号を検出する。このとき、光電気変換器１０ｂは、光入力信号４２のうち第２電気信号（主信号）４３の帯域を電気信号に変換する。このように、光電気変換器１０ｂの前段から光入力信号４２を分岐させて、擬似乱数パターン信号の検出に必要な帯域のみを光電気変換する光電気変換器１０ｃを光電気変換器１０ｂとは別に設けてもよい。【００２７】  なお、本実施の形態においては、ディジタルパターン検出器１５とディジタルパターン発生器１４は、プロセッサ１３と分離して構成されているが、これらの機器は基本的な処理がディジタル信号処理であるため、ディジタルパターン検出器１５とディジタルパターン発生器１４をプロセッサ１３の一部として構成することも可能である。【００２８】  ��らに、本実施の形態の電気光変換器１１ｂは、波長固定のデバイスでも波長可変のデバイスでもよく、波長可変デバイスの場合には、その発振波長制御をプロセッサ１３が一括して行うことも可能である。また、本実施の形態においては、光フィルタ手段がフィルタ中心波長を可変できる可変光フィルタ１２であるが、可変の対象が光フィルタの帯域幅であってもよい。また、光フィルタが可変しない固定波長用フィルタであっても、光送受信装置での波長情報の伝達手段として本発明を適用することが可能である。【００２９】  以上のように本実施の形態の波長可変光送受信装置１０１によれば、波長情報をディジタル回路で容易に生成可能な低速の擬似乱数パターン信号で表現して送信端より波長多重区間側に送出する。そのため、波長多重数が増大した場合でも安価に複数波長に対応したパターン生成が可能であり、受信端で抽出した擬似乱数パターン信号を解析することで、波長可変光送受信装置内に設けられた波長可変デバイス（可変光フィルタ１２）が適正な波長で動作しているかどうかを確認できるとともに、外部からの入力光信号がない場合でも低速の擬似乱数パターン信号を用いて装置の性能評価及び動作確認を行うことができる。つまり、入力する信号データを識別再生せず、また信号データの終端・解析処理を行わないタイプの波長可変光送受信装置において、簡易に且つ低コストで多数の波長に対応できる波長情報伝達方法が得られるばかりでなく、波長可変フィルタを光フィルタとして用いる場合に、その波長設定を正確に実施することができる。【００３０】  さらに加えて、本実施の形態の波長可変光送受信装置１０１は、クライアント側からの入力光信号を特に用意しなくても、擬似乱数パターン信号３３を流用して波長多重区間側への変調光信号送信および変調光信号の識別を実現できるので、システム導入時などに発生する波長多重区間側光レベル調整等の立ち上げ作業を簡易に実施できるという効果が生じる。【００３１】  なお、本実施の形態の波長可変光送受信装置１０１は、波長情報を表す擬似乱数パターン信号３３の信号速度は、第１電気信号（主信号）３２よりも低速であり、第１電気信号（主信号）３２の占有帯域外（ここでは図示しないクライアント側の光送受信装置の動作帯域外）であるため、擬似乱数パターン信号３３は第１電気信号（主信号）３２へ影響を及ぼさないものである。しかしながら、より多くの情報を擬似乱数パターン信号３３によって表現し、より高速のディジタルパターン（例えば、主信号伝送速度と概略同等の速度）にて主信号に重畳する場合には、図３に示す構成で実現することができる。【００３２】  図３において、波長可変光送受信装置１０３には、電気信号重畳手段としてスクランブル手段２１が設けられており、一方、ディジタルパターン信号検出手段がデスクンブル手段２２とされている。スクランブル手段２１は、第１電気信号（主信号）３２に擬似乱数パターン信号３３をスクランブル処理して重畳電気信号３４とする。一方、デスクンブル手段２２は、第２電気信号４３に対してデスクランブル処理することにより第２電気信号４３にスクランブルされた擬似乱数パターン信号４４を検出し波長情報を得る。このように、ディジタルパターン発生手段側にスクランブル機能を有し、ディジタルパターン信号検出手段側にデスクランブル機能を有することで、擬似乱数パターン信号３３を高速化した際にも、第１電気信号（主信号）３２に悪影響を及ぼすことなく、波長情報の伝達が可能となる。【００３３】実施の形態２．
図４は実施の形態２の波長可変光送受信装置の構成図である。図４において、波長可変光送受信装置１０４は、可変光フィルタ１２の前段に第１の光パワーモニタ手段１７ａが設けられ、可変光フィルタ１２の後段に第２の光パワーモニタ手段１７ｂが設けられている。光パワーモニタ手段１７ａ，１７ｂは図示しない信号線によりプロセッサ１３に接続されている。その他の構成は実施の形態１と同様である。【００３４】  動作を説明する。本実施の形態においては、実施の形態１に比べて、光パワーモニタ手段１７ａ，１７ｂを追加することで光送受信装置に特有の動作異常状態の切り分けが可能となる。尚、光パワーモニタ手段１７ａ，１７ｂは例えば光電気変換器と電気増幅器とで構成することができる。【００３５】  上述の実施の形態１では、正しく波長が選択されているか否かを識別することが可能であったが、可変光フィルタ１２の制御異常や伝送品質そのものが劣化といった異常状態が発生した場合に、可変光フィルタ１２の制御が原因であるか、或いはその他の要因であるかを切り分けることができないという問題がある。本実施の形態においては、波長多重光４１の状態をモニタできる箇所を増やすことで、受信側での異常が発生した場合に、その要因を詳細に切り分けが可能となる。【００３６】  図５に本実施の形態の各種異常原因切り分けを実施した例を表形式で示す図である。波長多重光４１のパワーモニタを行うことで、正常動作以外でも各種の異常状態の切り分けが可能であり、システムとしての異常時動作の明確な定義ならびにこれに基づいた異常処理を実行することが可能となる。【００３７】  図５においては、まず二つの光パワーモニタ手段１７ａ，１７ｂの出力結果から、可変光フィルタ１２に入力される波長多重区間側の波長多重光４１が断の状態であるか、可変光フィルタ１２の設定に誤りがあり可変光フィルタ１２の出力パワーが断であるかの切り分けが可能である。また、異常動作状態として、可変光フィルタ１２の出力では所定の光パワーが得られている状態であっても、可変光フィルタ１２が誤ったチャネルを選択している場合や伝送品質自体が劣化しており波長情報が抽出できない場合が想定されるが、本実施の形態の構成とすることにより、例えば、パターン区切り識別用のビット系列が検出不能であったり、検出した乱数パターンのマーク率（″０″および″１″の発生確率）が概略１／２から大きく変動していたりすることを検出することで、伝送品質自体が劣化していることを検出可能であり、最終的に図５に示す４種類の状態を分別でき、カードの動作状態を的確に判断可能である。【００３８】  すなわち、本実施の形態においては、可変光フィルタ１２の前段及び後段の少なくともいずれか一方に光パワーモニタ手段を有し、この光パワーモニタ手段のモニタ結果、ディジタルパターン検出器１５の抽出する擬似乱数パターン信号４４（波長情報）、擬似乱数パターン信号４４のマーク率及びパターン区切り識別用ビット系列の異常検出結果のいずれかに基づいて光入力信号としての波長多重光４１の状態が判定される。また、ディジタルパターン信号検出器１５は、擬似乱数パターン信号４４のマーク率が概略１／２から外れた場合及びパターン区切り��別用ビット系列が検出できなかった場合等にこれをエラーとして検出する。【００３９】  以上のように本実施の形態の波長可変光送受信装置１０４は、入力する信号データを識別再生せず、また信号データの終端・解析処理を行わないタイプの波長可変光送受信装置であるにも関わらず、システムとしての作業性ならびに運用性を大幅に向上させることができ、実運用上に充分な機能を備えた波長可変光送受信装置として提供することが可能である。
【産業上の利用可能性】
【００４０】  以上のように本発明の波長可変光送受信装置は、入力する信号データを識別再生せず、また信号データの終端・解析処理を行わない構成の波長可変光送受信装置に適用されて有用なものであり、特に１００波長を越えるような将来の超高密度波長多重システムの波長可変光送受信装置に適用されて有用なものである。
【図１】
2006008786.tif 000002
【図２】
2006008786.tif 000003
【図３】
2006008786.tif 000004
【図４】
2006008786.tif 000005
【図５】
2006008786.tif 000006
【国際調査報告】
2006008786.tif 000007
2006008786.tif 000008